(57)【要約】【課題】本発明は組立並びに分解が容易で、且つ周囲の大気並びに地面等の敷設面に対する気密構造を容易に形成でき、従って鮮度保持薬剤等の養生ガス処理に求められる気密性を確実に形成できる、構造簡素にして安価な組立形の農業用養生チャンバーを提供する。【解決手段】敷設シート１と袋状覆い２から成り、該袋状覆い２の開口部４を下向きにして該開口部４を敷設シート１で閉鎖すると共に、該袋状覆い２の開口部周縁５を上記敷設シート１の周縁部上面に形成した環状のファスナー溝６内に差し入れ、該環状のファスナー溝６内に配した弾性リング７で上記袋状覆い２の開口部周縁を環状のファスナー溝形成壁８に密着せしめると共に、弾性リング７と環状のファスナー溝形成壁８間において挟着保持する構成としたものである。【選択図】        図３
2008054618.tif 000002
【特許請求の範囲】
【請求項１】
敷設シートと袋状覆いから成り、該袋状覆いの開口部を下向きにして該開口部を敷設シートで閉鎖すると共に、該袋状覆いの開口部周縁を上記敷設シートの周縁部上面に形成した環状のファスナー溝内に差し入れ、該環状のファスナー溝内に配した弾性リングで上記袋状覆いの開口部周縁を環状のファスナー溝形成壁に密着せしめると共に、弾性リングと環状のファスナー溝形成壁間において挟着保持する構成としたことを特徴とする農業用養生チャンバー。
【請求項２】
上記敷設シートと袋状覆いが可撓性を有するシート材から成ることを特徴とする請求項１記載の農業用養生チャンバー。
【請求項３】
上記敷設シートの周縁を上記ファスナー溝の形成部から側方へ張り出してフランジを形成したことを特徴とする請求項１記載の農業用養生チャンバー。
【請求項４】
上記弾性リングがエアーチューブから成ることを特徴とする請求項１記載の農業用養生チャンバー。
【請求項５】
上記環状のファスナー溝形成壁として上記敷設シートの周縁部上面から内周壁を立ち上げると共に該内周壁と対向して外周壁を立ち上げ、該外周壁と内周壁間に上記環状のファスナー溝を形成したことを特徴とする請求項１記載の農業用養生チャンバー。
【請求項６】
上記外周壁の要所に上記弾性リングの逃げを許容する逃げ部を形成したことを特徴とする請求項５記載の農業用養生チャンバー。
【発明の詳細な説明】
【技術分野】
【０００１】
本発明は生鮮果物又は生鮮野菜等の養生に用いる組立形の農業用養生チャンバー、代表例として生鮮果物又は生鮮野菜等を鮮度保持薬剤等で処理する場合に好適に用いられる農業用養生チャンバーに関する。
【背景技術】
【０００２】
特許文献１乃至４は本発明に関連する構造の組立形チャンバーを示しており、これらは何れも構造骨組立体の外面に袋状シート等の覆いシートを外張りするか、又は構造骨組立体の開口部の内部にパネルを組み込む構造である。
【０００３】
又床面は地面を直接チャンバー内に露出させるか、又は床骨にて高床を構築する構造である。
【０００４】
【特許文献１】実開昭５２−６１７３５号公報「組立式ビニルハウス」
【特許文献２】実開昭５７−１５４３号公報「小形温室」
【特許文献３】実開昭５８−１５５９５８号公報「組立式保温ボックス」
【特許文献４】特開２００１−３３３６４８号公報「簡易温室」
【発明の開示】
【発明が解決しようとする課題】
【０００５】
而してチャンバー形成用の構造骨組立体の外面に覆いシートを外張りする構造とした場合、覆いシートが構造骨の角等と接する部分において早期に損傷する問題、覆いシートが内在する構造骨組立体によって制限され、構造骨組立体に馴良する設計が要求され、構造骨組立体の寸法が大きい場合には使用し難くなる。又総じて覆い作業と分解作業に手間が掛かる等の問題を有している。
【０００６】
特に生鮮果物等を鮮度保持ガスで養生する養生チャンバーにおいては、周囲の大気並びに地面との気密性が要求されるが、上記特許文献１乃至４に代表される農業用チャンバーは構造上、この周囲の大気並びに地面に対する気密性の確保に適切に応え難い。
【課題を解決するための手段】
【０００７】
本発明は組立並びに分解が極めて容易で、且つ周囲の大気並びに地面等の敷設面に対する気密構造も容易に形成でき、従って鮮度保持薬剤等の養生ガス処理に求められる気密性を確実に形成できる、構造簡素にして安価な組立形の農業用養生チャンバーを提供するものである。
【０００８】
要述すると、本発明に係わる農業用養生チャンバーは、敷設シートと袋状覆いから成り、敷設シートを地面等の敷設面に敷設すると共に、上記袋状覆いの開口部を下向きにして該開口部を敷設シートで閉鎖すると共に、該袋状覆いの開口部周縁を上記敷設シートの周縁部上面に形成した環状のファスナー溝内に差し入れ、該環状のファスナー溝内に配した弾性リングで上記袋状覆いの開口部周縁を環状のファスナー溝形成壁に密着せしめると共に、弾性リングと環状のファスナー溝形成壁間において挟着保持する構成としたものである。
【０００９】
上記袋状覆いは可撓性を有する合成樹脂シート材に代表される可撓性シート材から成り、チャンバー内に収容した養生物にもたれ掛け使用できるようにする。若しくは袋状覆いの頂部を吊り上げて使用に供する。
【００１０】
又は上記袋状覆いを袋状形態を保持する剛性を有するシート材、例えば同剛性を備えた合成樹脂シート材にて形成する。
【００１１】
同様に上記敷設シートは可撓性を有する合成樹脂シート材に代表される可撓性シート材から成り、敷設面の不陸に順応して密着できるようにする。
【００１２】
又上記敷設シートの周縁を上記ファスナー溝の形成部から、即ち袋状覆いの開口部から側方へ張り出して地面等の敷設面に敷設されるフランジを形成し、チャンバー外域での敷設面への密着性を確保し、敷設面により安定に敷設できるようにする。
【００１３】
又上記弾性リングは一例としてエアーチューブにて形成する。該エアーチューブとしては事前に圧力エアーが封入されたチューブを用いる。又は好ましい例示として事後的に圧力エアーを注入して膨らませるエアー注入と排気が可能なエアーチューブを用いる。
【００１４】
又は上記エアーチューブのほか、ゴム材から成る中実の弾性リング、又はスポンジ等の中実の界面質体から成る弾性リングを用いる。
【００１５】
上記環状のファスナー溝形成例として、例えば上記敷設シートの周縁部上面から内周壁を立ち上げると共に、該内周壁と対向して外周壁を立ち上げ、該外周壁と内周壁間に上記環状のファスナー溝を形成することができる。
【００１６】
好ましい例示として、上記外周壁の要所に上記弾性リングの逃げを許容する逃げ部を形成し、袋状覆いの開口部内周面又は外周面に弾性リングが圧着され圧縮変形した時に、弾性リングの局部を逃げ部から外部へ逃がし変形量を吸収する構造にする。よって袋状覆いの開口部周縁と弾性リングとの密着性を確保する。
【発明の効果】
【００１７】
本発明に係る農業用養生チャンバーは、敷設シートを地面等の敷設面に敷設し、袋状覆いの開口部周縁をファスナー溝内へ入れ、弾性リングで圧迫するのみで同チャンバーを形成することができ、組立と分解が頗る容易である。
【００１８】
加えて農業用養生チャンバーの気密構造が容易に形成でき、高い気密性が求められる農産物の養生ガスによる養生チャンバーとして有効である。殊に生鮮果物や生鮮野菜を鮮度保持薬剤や脱渋薬剤等で処理する場合の養生チャンバーとして好適に用いることができる。
【００１９】
又従来例の如き構造骨組立体を有さず、該構造骨組立体によるシート損傷を解消し、構造骨組立体による制限を受けずに組立できる。
【発明を実施するための最良の形態】
【００２０】
以下上記農業用養生チャンバーの具体例を図１乃至図９に基づいて説明する。
【００２１】
１は地面やコンクリート床等の敷設面３に敷設される略平坦な敷設シートであり、２は上記敷設シート１上に着脱可に覆設される袋状覆いである。
【００２２】
上記袋状覆い２はその開口部４を下向きにし、該開口部４を敷設シート１で閉鎖すると共に、該袋状覆い２の開口部周縁５を上記敷設シート１の周縁部上面に形成した環状のファスナー溝６内に差し入れ、該環状のファスナー溝６内に配した弾性リング７で上記袋状覆い２の開口部周縁５を環状のファスナー溝形成壁８に密着せしめると共に、弾性リング７と環状のファスナー溝形成壁８間において挟着保持する構成を有する。
【００２３】
上記袋状覆い２は折り畳み可能な可撓性を有するシート材、適例として合成樹脂シート材にて形成する。他例として、袋状覆い２を気密材をコーティング乃至含浸せしめた可撓性を有する布シート材、紙シート材等で形成する。
【００２４】
好ましくは上記可撓性シート材は養生農産物が透視できる透明又は半透明のシート材を使用する。
【００２５】
上記可撓性シート材から成る袋状覆い２はチャンバー内に収容した養生農産物を覆いつつこれにもたれ掛けて使用するか、使用状況に応じ袋状覆い２の頂部を吊り上げて使用に供する。
【００２６】
上記可撓性シート材を複合シート材、例えば合成樹脂シート材と布製シート材の複合シート材にて形成することを妨げない。又糸入り、網入り等の繊維補強シート材を使用できる。
【００２７】
他例として、上記袋状覆い２を袋状形態を保持するのに必要な剛性を有する合成樹脂シート材又はガラスシート材等にて形成する。即ち袋状形態を自己保持できるシート材にて形成する。
【００２８】
同様に上記敷設シート１は可撓性を有するシート材、適例として合成樹脂シート材、ゴムシート材等にて形成し、その可撓性により不陸を有する敷設面３に順応して密着でき且つ折り畳みできるようにする。
【００２９】
他例として、上記敷設シート１を剛性を有するシート材、例えば合成樹脂シート材、ガラスシート材等にて形成し、農業用養生チャンバーの移動、袋状覆い２との組立性を容易にする。
【００３０】
好ましくは、上記敷設シート１の周縁を上記ファスナー溝６の形成部から、即ち袋状覆い２の開口部４から側方へ張り出して地面等の敷設面３に敷設されるフランジ９を形成し、チャンバー外域における敷設面３に、より安定に敷設し、より安定に袋状覆い２を支持できるようにし、又フランジ９を持って移動したり、フランジ９上に重しを置くことができるようにする。
【００３１】
上記環状ファスナー溝６の形成例として、例えば上記敷設シート１の周縁部上面から内周壁１３を立ち上げると共に、該内周壁１３と対向して外周壁１４を立ち上げ、該内周壁１３と外周壁１４間に上記環状のファスナー溝６を形成することができる。
【００３２】
上記内周壁１３と外周壁１４は上記ファスナー溝形成壁８に相当し、上記弾性リング７は該内外周壁１３，１４にて制限されつつ圧縮され、その反発力で袋状覆い２の開口部周縁５を内周壁１３又は外周壁１４に圧着せしめる。
【００３３】
上記内周壁１３と外周壁１４は弾性リング７を適切に圧縮し且つ反発力で過度の変異を生じない剛性を有する。例えば敷設シート１を薄肉の可撓性シート材にて形成し、該敷設シート１の上面から厚肉の内周壁１３と外周壁１４を立ち上げる。
【００３４】
又は敷設シート１全体を剛性を有するシート材にて形成し、これと一体に剛性を有する内周壁１３と外周壁１４を立ち上げる。
【００３５】
好ましい例示として図６に示すように、上記外周壁１４の要所、例えば外周壁１４のコーナー部に上記弾性リング７の逃げを許容する逃げ部２０を形成し、袋状覆い２の開口部内周面又は外周面に弾性リング７が圧着され圧縮変形した時に、弾性リング７の局部を逃げ部２０から外部へ逃がし変形量を吸収する構造にする。よって袋状覆い２の開口部周縁５と弾性リング７との密着性を確保する。
【００３６】
上記弾性リング７は一例としてエアーチューブ１０を用いる。該エアーチューブ１０としては事前に圧力エアーが封入されたチューブを用いる。又は好ましい例示として事後的に圧力エアーを注入して膨らませるエアー注入と排気が可能なエアーチューブ１０を用いる。即ちエアー注排気バルブ１２を備えたエアーチューブ１０を用いる。
【００３７】
上記エアー注排気バルブ１２を備えたエアーチューブ１０を用いる場合、図２、図５に示すように、該エアーチューブ１０を予めファスナー溝６内に排気状態で遊嵌し、次に袋状覆い２の開口部周縁５をエアーチューブ１０と外周壁１４又は内周壁１３間に遊挿し、次に図７に示すように、注排気バルブ１２を通じてエアーを注入して膨満せしめ、その反発力で袋状覆い２の開口部周縁５を外周壁１４又は内周壁１３に加圧密着し、袋状覆い２の気密状態を形成する。
【００３８】
同時に上記エアーチューブ１０は袋状覆い２の開口部周縁５と接する側と反対の側面において内周壁１３又は外周壁１４（ファスナー溝形成壁８）に密着面１５を以って直に密着すると共に、同チューブ１０の下面がファスナー溝形成壁８の底壁に密着面１６を以って加圧密着し、上記袋状覆い２の気密性を向上すると共に、エアーチューブ１０（弾性リング７）と環状のファスナー溝形成壁８（外周壁１４又は内周壁１３）間において着脱可に挟着保持する。
【００３９】
上記エアーチューブ１０の注排気バルブ１２は図７に示すように、内周壁１３又は外周壁１４に支持せしめ、注排気装置を該注排気バルブ１２に接続し、注気を行いエアー充填状態を保つ。又この注排気バルブ１２を圧縮するか、又は注排気バルブ１２内にピン等を差し込み排気を促す。この機能を有する注排気バルブ１２は、例えば自転車タイヤの注排気バルブ、浮き輪の注排気バルブ等において既知である。
【００４０】
又事前に圧力エアーを封入したエアーチューブ１０を用いる場合、例えば該エアーチューブ１０を袋状覆い２の開口部周縁５と一緒に上記ファスナー溝６内へ圧縮しつつ圧入するか、又は袋状覆い２の開口部周縁５を差し入れた後、エアーチューブ１０を同ファスナー溝６内へ圧入し、該エアーチューブ１０の反発力で上記袋状覆い２の開口部周縁５を環状のファスナー溝形成壁８、即ち外周壁１４又は内周壁１３に密着せしめると共に、エアーチューブ１０（弾性リング７）と環状のファスナー溝形成壁８（外周壁１４又は内周壁１３）間において着脱可に挟着保持する。
【００４１】
図１乃至図７はエアーチューブ１０に代表される弾性リング７をファスナー溝形成壁８の内周壁１３側に挿入し、ファスナー溝形成壁８の外周壁１４側に袋状覆い２の開口部周縁５を挿入する場合を示しているが、図示は省略するが、ファスナー溝形成壁８の外周壁１４側に挿入し、ファスナー溝形成壁８の内周壁１３側に袋状覆い２の開口部周縁５を挿入することができる。
【００４２】
図４に示すように、上記エアーチューブ１０に代え、母材自体が圧縮弾性を有するゴム材から成る中実の弾性リング１１、又は同スポンジ材等の中実の界面質体から成る弾性リング１１を用いる。上記ゴム材やスポンジ材等から成る弾性リング１１は、その軸心に圧縮弾性を調整するための貫通孔を有するものを用いても良い。
【００４３】
上記中実弾性リング１１はファスナー溝６より大断面積を有し、同溝６内に圧入することにより圧縮され、その反発力で上記袋状覆い２の開口部周縁５を環状のファスナー溝形成壁８に密着せしめると共に、自ら他の部位においてファスナー溝形成壁８に密着し、気密状態を形成する。同時に弾性リング１１と環状のファスナー溝形成壁８間において挟着保持する。
【００４４】
図８に示すように、上記事前にエアー充填したエアーチューブ１０又は中実弾性リング１１は袋状覆い２の開口部周縁５の外周面又は内周面に取り付け保持することができる。該エアーチューブ１０及び中実弾性リング１１は袋状覆い２の開口部周縁５と一緒にファスナー溝６内へ圧入する。
【００４５】
図９に示すように、上記袋状覆い２をその形状を自己保持する剛性の覆いで形成した場合の例示として、該剛性袋状覆い２の開口部４の内周面又は外周面に可撓性を有する環状のシール片１９を設け、該シール片１９をファスナー溝６内へ挿入して、エアーチューブ１０又は中実弾性リング１１から成る弾性リング７にてファスナー溝形成壁８に加圧密着することができる。
【図面の簡単な説明】
【００４６】
【図１】本発明に係わる農業用養生チャンバーの斜視図。
【図２】弾性リングとしてエアーチューブを用いた農業用養生チャンバーを、エアー注入前の状態を以って示す縦断面図。
【図３】弾性リングとしてエアーチューブを用いた農業用養生チャンバーを、エアー注入後の状態を以って示す縦断面図。
【図４】弾性リングとして中実弾性リングを用いた農業用養生チャンバーを示す縦断面図。
【図５】弾性リングとして注排気バルブを備えたエアーチューブを用いた農業用養生チャンバーを、気密封止部において断面せる横断面図であり、同チューブにエアー注入する前の状態を以って示す図。
【図６】弾性リングとして注排気バルブを備えたエアーチューブを用いた農業用養生チャンバーを、気密封止部において断面せる横断面図であり、同チューブにエアー注入後の状態を以って示す図。
【図７】上記図２に示すエアーチューブの注排気バルブを通じてエアーを注入し袋状覆いの気密封止状態を形成した要部縦断面図。
【図８】袋状覆いの開口部周縁に弾性リングを保有させた状態を示す農業用養生チャンバーの縦断面図。
【図９】上記袋状覆いを形状を自己保持できる剛性覆いで形成した農業用養生チャンバーの縦断面図。
【符号の説明】
【００４７】
１…敷設シート、２…袋状覆い、３…敷設面、４…開口部、５…開口部周縁、６…ファスナー溝、７…弾性リング、８…ファスナー溝形成壁、９…フランジ、１０…エアーチューブ、１１…中実弾性リング、１２…エアー注排気バルブ、１３…内周壁、１４…外周壁、１５…密着面、１６…密着面、１９…シール片、２０…逃げ部。
【図１】
2008054618.tif 000003
【図２】
2008054618.tif 000004
【図３】
2008054618.tif 000005
【図４】
2008054618.tif 000006
【図５】
2008054618.tif 000007
【図６】
2008054618.tif 000008
【図７】
2008054618.tif 000009
【図８】
2008054618.tif 000010
【図９】
2008054618.tif 000011